(57)【要約】画像処理部（１９）は、予め登録された指紋と、指紋センサ付キー（３２）によって検知された指紋とを比較し、一致するか否かを判定する。指紋が一致する場合には、指向判断部（１８）が指紋の変位量から指の方向を判断する。そして、主制御部（２４）は、指向判断部（１８）によって判断された指の方向に応じて、表示部（１３）の表示内容の向きを変更する。したがって、利用者は簡単な操作で表示手段の表示内容の向きを変更することが可能となる。【特許請求の範囲】
【請求項１】
表示手段と、
指の変位を検知するための検知手段と、
前記検知手段によって検知された指の変位に応じて、前記表示手段の表示内容の向きを変更するための変更手段とを含む表示装置。
【請求項２】
前記検知手段は、指の方向を検知する、請求項１記載の表示装置。
【請求項３】
前記検知手段は、指の移動方向を検知する、請求項１記載の表示装置。
【請求項４】
前記検知手段は、指の形を検知することにより指の方向または指の移動方向を検知する、請求項２または３記載の表示装置。
【請求項５】
前記検知手段は、指紋を検知することにより指の方向または指の移動方向を検知する、請求項２または３記載の表示装置。
【請求項６】
前記検知手段は、指紋センサを含む、請求項１〜３のいずれかに記載の表示装置。
【請求項７】
前記表示装置はさらに、前記表示手段の表示内容を操作するための操作手段を含み、
前記検知手段は、前記操作手段上に設けられる、請求項１〜３のいずれかに記載の表示装置。
【請求項８】
前記操作手段は、テレビ画面を表示するための視聴ボタンである、請求項７記載の表示装置。
【請求項９】
前記変更手段は、前記検知手段によって検知された指の方向または指の移動方向と前記表示手段の表示内容の向きとの角度が所定値以上の場合に、前記表示手段の表示内容の向きを変更する、請求項１記載の表示装置。
【請求項１０】
前記変更手段は、前記表示手段と前記検知手段との位置関係に応じて、前記表示手段の表示内容の向きを補正する、請求項１記載の表示装置。
【請求項１１】
前記表示装置はさらに、前記検知手段が設けられる操作部と、
前記操作部に対する前記表示手段の回転角度を検出するための第１の検出手段と、
前記操作部に対する前記表示手段の開閉角度を検出するための第２の検出手段とを含み、
前記変更手段は、前記第１の検出手段によって検出された回転角度と前記第２の検出手段によって検出された開閉角度とに基づいて、前記表示手段の表示内容の向きを補正する、請求項１０記載の表示装置。
【発明の詳細な説明】
【技術分野】
【０００１】  本発明は、携帯電話、パーソナルコンピュータ、ＰＤＡ（Ｐｅｒｓｏｎａｌ  Ｄｉｇｉｔａｌ  Ａｓｓｉｓｔａｎｔｓ）などの表示装置に関し、特に、画面の表示内容の向きを変更することが可能な表示装置に関する。
【背景技術】
【０００２】  近年、携帯電話などの表示装置の多機能化が進んでおり、たとえば、携帯電話の利用者は外出先でもテレビを視聴することができる。一般に、このようなテレビ画面においては、利用者の好みに応じて表示内容の向きを変更することが可能である。これに関連する技術として、特開平６−３１８０５８号公報に開示された発明がある。【０００３】  特開平６−３１８０５８号公報に開示された画像表示装置においては、ジャイロを画像表示装置のＸ、Ｙ、Ｚ軸にあたる部分にそれぞれ実装し、ジャイロからのアナログ値をＡ／Ｄ変換器でデジタル値に変換する。このデジタル値をＣＰＵで処理して画像表示装置自体がどの方向に何度回転したかを検出し、その情報を基に表示している画像を画像表示装置自体が回転した角度分だけ回転させて、あたかも視点が移動したかのような表示を行なう。
【特許文献１】特開平６−３１８０５８号公報
【発明の開示】
【発明が解決しようとする課題】
【０００４】  しかし、上述した特開平６−３１８０５８号公報に開示された画像表示装置は、ジャイロで画像表示装置自体がどの方向に何度回転したかを検出しているため、画面が水平状態に置かれている場合には利用できないといった問題点があった。【０００５】  また、画像を回転させるためには、画像表示装置自体を回転させなければならないので、手間がかかるといった問題点もあった。【０００６】  本発明は、上記問題点を解決するためになされたものであり、その目的は、特別な機能ボタンの押下や機器の向きを変えたりしなくとも機器の表示内容の向きや機能制御を容易に変更することが可能な表示装置を提供することである。
【課題を解決するための手段】
【０００７】  本発明のある局面に従えば、表示装置は、表示手段と、指の変位を検知するための検知手段と、検知手段によって検知された指の変位に応じて、表示手段の表示内容の向きを変更するための変更手段とを含む。【０００８】  好ましくは、検知手段は、指の方向を検知する。
好ましくは、検知手段は、指の移動方向を検知する。【０００９】  好ましくは、検知手段は、指紋センサを含む。
好ましくは、表示装置はさらに、表示手段の表示内容を操作するための操作手段を含み、検知手段は、操作手段上に設けられる。【００１０】  さらに好ましくは、操作手段は、テレビ画面を表示するための視聴ボタンである。
好ましくは、検知手段は、指の形を検知することにより指の方向または指の移動方向を検知する。【００１１】  好ましくは、検知手段は、指紋を検知することにより指の方向または指の移動方向を検知する。【００１２】  好ましくは、変更手段は、検知手段によって検知された指の方向または指の移動方向と表示手段の表示内容の向きとの角度が所定値以上の場合に、表示手段の表示内容の向きを変更する。【００１３】  好ましくは、変更手段は、表示手段と検知手段との位置関係に応じて、表示手段の表示内容の向きを補正する。【００１４】  さらに好ましくは、表示装置はさらに、検知手段が設けられる操作部と、操作部に対する表示手段の回転角度を検出するための第１の検出手段と、操作部に対する表示手段の開閉角度を検出するための第２の検出手段とを含み、変更手段は、第１の検出手段によって検出された回転角度と第２の検出手段によって検出された開閉角度とに基づいて、表示手段の表示内容の向きを補正する。
【発明の効果】
【００１５】  本発明のある局面によれば、変更手段が、検知手段によって検知された指の変位に応じて、表示手段の表示内容の向きを変更するので、利用者は簡単な操作で表示手段の表示内容の向きを変更することが可能となる。【００１６】  なお、指の変位には、予め登録されている指の方向と検知手段で検知した指の方向との角度差、検知手段に触れたまま指を回転させた場合にはその回転角、指を移動させたときには基準となる方向（上方向など）と移動方向との角度差などが含まれる。【００１７】  また、検知手段は、指の方向を検知するので、利用者は検知手段の上に指を押下するだけで、表示手段の表示内容の向きを変更することが可能となる。【００１８】  また、検知手段は、指の移動方向を検知するので、利用者は検知手段の上で指を移動させるだけで、表示手段の表示内容の向きを変更することが可能となる。【００１９】  また、検知手段が指紋センサを含むので、指紋を登録した利用者のみが表示手段の表示内容の変更を行うことが可能となる。【００２０】  また、検知手段が操作手段上に設けられるので、利用者は操作手段の操作と同時に表示手段の表示内容の向きの変更を行うことが可能となる。【００２１】  また、操作手段がテレビ画面を表示するための視聴ボタンであるので、テレビ画面を表示すると同時に表示手段の表示内容の向きの変更を行うことが可能となる。【００２２】  また、検知手段が指の形を検知することにより指の方向または指の移動方向を検知するので、指紋を検知するよりも容易に指の方向または指の移動方向を検知することが可能となる。【００２３】  また、検知手段が指紋を検知することにより指の方向または指の移動方向を検知するので、より正確に指の方向または指の移動方向を検知することが可能となる。【００２４】  また、変更手段が、検知手段によって検知された指の方向または指の移動方向と表示手段の表示内容の向きとの角度が所定値以上の場合に、表示手段の表示内容の向きを変更するので、指の方向または指の移動方向がある程度ずれていても表示手段の表示内容の向きを正確に変更することが可能となる。【００２５】  また、変更手段が、表示手段と検知手段との位置関係に応じて、表示手段の表示内容の向きを補正するので、たとえば、スイーベル機能を搭載した表示装置であっても利用者の所望の方向に表示内容を変更することが可能となる。【００２６】  また、変更手段は、第１の検出手段によって検出された回転角度と第２の検出手段によって検出された開閉角度とに基づいて、表示手段の表示内容の向きを補正するので、利用者の所望の方向に表示内容を正確に変更することが可能となる。
【図面の簡単な説明】
【００２７】
【図１Ａ】本発明の第１実施例における表示装置の一例である携帯電話の筐体１１と筐体１２とが閉じられた状態を示す図である。
【図１Ｂ】携帯電話の筐体１１を開いた状態を示す図である。
【図２】本発明の第１実施例における表示装置の一例である携帯電話のハードウェア構成を示すブロック図である。
【図３Ａ】指紋センサによって検出される指の方向によって表示内容の方向が変更される前の表示部１３を示す図である。
【図３Ｂ】指紋センサによって検出される指の方向によって表示内容の方向が変更された後の表示部１３を示す図である。
【図４】本発明の第１実施例における表示装置の処理手順を説明するためのフローチャートである。
【図５】本発明の第１実施例における表示装置の処理手順をさらに詳細に説明するためのフローチャートである。
【図６Ａ】指紋センサによって検出される指の移動方向によって表示内容の方向が変更される前の表示部１３を示す図である。
【図６Ｂ】指紋センサによって検出される指の移動方向によって表示内容の方向が変更された後の表示部１３を示す図である。
【図７】本発明の第２実施例における表示装置の処理手順を説明するためのフローチャートである。
【図８Ａ】表示装置の筐体１１の開閉角度および回転角度の検出を説明するための図である。
【図８Ｂ】筐体１１がＹ軸を中心に１８０°回転されたところを示す図である。
【図９Ａ】利用者が指紋センサ３４を押下することによって、表示部１３の表示内容の向きが変更されたところを示す図である。
【図９Ｂ】表示部１３が設けられた筐体１１をＹ軸を中心に１８０°回転させて、筐体１１を閉じたところを示す図である。
【図９Ｃ】表示部１３の表示内容の向きを補正したところを示す図である。
【図１０】本発明の第３実施例における表示装置の処理手順を説明するためのフローチャートである。
【符号の説明】
【００２８】  １１，１２  筐体、１３  表示部、１４  操作部、１５  アンテナ、１６  チューナ部、１７  不揮発性メモリ、１８  指向判断部、１９  画像処理部、２０  揮発性メモリ、２１  表示ドライバ、２２  回転検知部、２３  表示装置向き検知部、２４  主制御部、３１  通常キー、３２  指紋センサ付キー、３３，３４  指紋センサ、４１−１，４１−２  開閉マグネット、４２−１，４２−２  開閉センサ、４３−１，４３−２  回転センサ、４４−１，４４−２  回転マグネット、４５  Ｙ軸回転センサ、４６  Ｚ軸回転センサ。
【発明を実施するための最良の形態】
【実施例】
【００２９】  （実施例１）
図１Ａ〜１Ｂは、本発明の第１実施例における表示装置の一例である携帯電話の外観例を示す図である。図１Ａは、携帯電話の筐体１１と筐体１２とが閉じられた状態を示している。筐体１１は、Ｚ軸を中心に回転可能に筐体１２に取り付けられている。【００３０】  図１Ｂは、携帯電話の筐体１１を開いた状態を示している。筐体１１には表示部１３が設けられ、筐体１２には操作部１４が設けられている。筐体１１は、Ｙ軸を中心に回転可能に筐体１２に取り付けられており、いわゆるスイーベル機能を実現できるようになっている。【００３１】  図２は、本発明の第１実施例における表示装置の一例である携帯電話のハードウェア構成を示すブロック図である。携帯電話は、表示部１３と、操作部１４と、アンテナ１５と、チューナ部１６と、プログラムなどが格納される不揮発性メモリ１７と、利用者による操作部１４の操作を検知して指の方向を判断する指向判断部１８と、指の方向を判断する際に画像処理を行なう画像処理部１９と、指紋センサによって取得された指紋データなどを一時的に記憶する揮発性メモリ２０と、表示部１３の表示を制御する表示ドライバ２１と、筐体１１の開閉や回転を検知する回転検知部２２と、回転検知部２２による検知結果に応じて表示装置の向きを検知する表示装置向き検知部２３と、表示装置全体の制御を行なう主制御部２４とを含む。【００３２】  操作部１４は、テンキーなどの通常キー３１と、指紋センサ付キー３２とを含む。指紋センサは、たとえばテレビ画面の視聴キー上に設けられる。これによって、利用者が視聴キーを押下することによって、テレビ画面の表示と表示内容の方向の決定とを同時に行なうことが可能となる。【００３３】  ここで言う指紋センサ付キー３２は、機構的なキー、タッチパネルキーなどの人間の指が触れることができる構造のものであればよく、形態や構造は問わない。【００３４】  チューナ部１６は、アンテナ１５を介して電波を受信し、テレビ画像、音声、データなどを復調して主制御部２４に出力する。また、チューナ部１６は、主制御部２４から受けた音声やデータなどを変調し、電波としてアンテナ１５を介して出力する。【００３５】  画像処理部１９は、指紋センサ付キー３２によって検出された指紋が、予め登録された利用者の指紋と一致するか否かを画像処理により判定する。指紋が一致する場合には、指向判断部１８が指紋の方向から指の方向を判断し、指の方向を主制御部２４に通知する。なお、予め登録された利用者の指紋は、不揮発性メモリ１７に格納されている。【００３６】  この登録された指紋は、上述のように利用者別に登録する他、同一人でも複数の指の指紋情報、同じ指でも異なる場所の指紋などであってもよい。【００３７】  主操作部２４はＣＰＵ（Ｃｅｎｔｒａｌ  Ｐｒｏｃｅｓｓｉｎｇ  Ｕｎｉｔ）などによって構成され、不揮発性メモリ１７などに格納されたプログラムを実行することによって、表示装置の全体的な制御を行なう。主制御部２４は、指向判断部１８から指の方向を受けると、表示ドライバ２１に転送するテレビ画像などの表示データを制御して、指の方向と一致するように表示内容の方向を変更して表示部１３に表示する。【００３８】  図３Ａ〜３Ｂは、指紋セン��によって検出された指の方向によって表示部１３の表示内容の方向を変更するところを説明するための図である。なお、説明を容易にするため、指紋センサ３３が表示部１３上に設けられている場合について説明する。図３Ａに示すように、表示部１３が横長の状態で人を表示しているとする。図３Ｂに示すように、指紋センサ３３に指が押下されると、指向判断部１８によって指の方向が判断され、その指の方向と一致するように表示部１３の表示内容の方向（人の方向）が変更され、表示部１３が縦長の状態で人を表示するようになる。【００３９】  図４は、本発明の第１実施例における表示装置の処理手順を説明するためのフローチャートである。まず、主制御部２４は、テレビ画像などの表示データを表示ドライバ２１へ出力することによって、表示部１３に画面表示を行なう（Ｓ１１）。【００４０】  次に、画像処理部１９が、指紋センサ付キー３２からの画像データを取り込むことにより、指紋センサ付キー３２に指が押下されたか否かを検知する（Ｓ１２）。指が押下されていなければ（Ｓ１２，Ｎｏ）、ステップＳ１２の処理を繰返す。【００４１】  なお、指の押下の検知には上記画像認識による手段に限らず、例えば圧力センサなどの接触センサを用いてもよい。【００４２】  指が押下されていれば（Ｓ１２，Ｙｅｓ）、主制御部２４は、指向判断部１８から指方向情報を取得したか否かを判定する。主制御部２４が指方向情報を取得しなかった場合（Ｓ１３，Ｎｏ）、すなわち指紋の認証が確認されなかった場合には、ステップＳ１２に戻って以降の処理を繰返す。【００４３】  また、主制御部２４が指方向情報を取得した場合（Ｓ１３，Ｙｅｓ）、すなわち指紋の認証が確認された場合には、現在の画面の表示内容の向きが指の方向と一致しているか否かを判定する（Ｓ１４）。現在の画面の表示内容の向きが指の方向と一致していれば（Ｓ１４，Ｎｏ）、ステップＳ１２に戻って以降の処理を繰返す。【００４４】  現在の画面の表示内容の向きが指の方向と一致していなければ（Ｓ１４，Ｙｅｓ）、主制御部２４は、画面の表示内容の向きと指の方向とが一致するように、表示内容の向きを変更して画面の再表示を行なう（Ｓ１５）。【００４５】  図５は、本発明の第１実施例における表示装置の処理手順をさらに詳細に説明するためのフローチャートである。図４に示すフローチャートと同じ処理手順には同じステップ番号を付し、その詳細な説明は繰返さない。【００４６】  ステップＳ２１において、画像処理部１９は、指紋センサ付キー３２からの画像データを取り込むことにより指紋を取得する。そして、画像処理部１９は、予め登録された指紋と指紋センサ付キー３２によって検知された指紋とを比較することにより、登録済みの指紋と一致するか否かを判定する（Ｓ２２）。登録済みの指紋と一致しない場合には（Ｓ２２，Ｎｏ）、ステップＳ１２に戻って以降の処理を繰返す。【００４７】  また、登録済みの指紋と一致する場合には（Ｓ２２，Ｙｅｓ）、指向判断部１８は、登録済み指紋の向きを基準とし、それに対する、取得した指紋の変位量を取得することにより、指の方向を判断する（Ｓ２３）。そして、ステップＳ１４の判定処理が行なわれる。【００４８】  なお、ステップＳ１４において、表示部１３の表示内容の向きと指の方向とが一致するか否かによって画面の再表示を行なうか否かを判定したが、表示部１３の表示内容の向きと指の方向との角度が所定値以下の場合には、向きが一致するとして画面の再表示を行なわないようにしてもよい。【００４９】  また、指向判断部１８が、登録済み指紋に対する、取得した指紋の変位量を取得することによって、指の方向を判断するようにしたが、指紋を検知せずに、画像処理部１９が指の形を画像処理によって判断し、その指の形から指の方向を判断するようにしてもよい。【００５０】  以上説明したように、本実施例における表示装置によれば、指紋センサ付キー３２によって検知された指紋から指の方向を判断し、指の方向と表示部１３の表示内容の向きとが一致するように画面を再表示するようにしたので、利用者は画面の表示内容の向きを容易に変更することが可能となった。【００５１】  また、画像処理部１９が、指紋センサ付キー３２によって検知された指紋と予め登録された指紋とを比較することによって指の方向を判断するようにしたので、指紋を登録した利用者のみが画面の表示内容の向きを変更することが可能となる。【００５２】  また、指紋センサ付キー３２を視聴キーとすることによって、利用者はテレビ画面の表示を行なうと同時に、表示部１３の表示内容の向きを決定することができ、利用者の操作性を向上させることが可能となった。【００５３】  また、指紋センサに指を接触させた状態で回転・移動させれば、その回転方向や回転角度、移動方向に基づいて表示画像を回転、スクロール表示することもできる。【００５４】  指紋センサが複数ある場合、それらセンサに優先度を設定し、優先度の高いセンサが検出している指の方向に応じて表示の向きを変えてもよい。また、登録されている指紋データに優先度をつけておき、優先度の高い指紋が検出されたセンサが検出した指の方向に応じて表示の向きを変えてもよい。また、２つの指がセンサに触れた場合は、画面を２分割表示して、それぞれの指の方向に対応するような表示内容の向きで表示するようにしてもよい。【００５５】  （実施例２）
本発明の第２実施例における表示装置のハードウェア構成は、図２に示す第１実施例における表示装置のハードウェア構成と同様である。したがって、重複する構成および機能の詳細な説明は繰返さない。【００５６】  図６Ａ〜６Ｂは、指紋センサによって検出された指の移動方向によって表示部１３の表示内容の方向を変更するところを説明するための図である。図６Ａに示すように、表示部１３が横長の状態で人を表示しているとする。図６Ｂに示すように、指紋センサ３３に指が押下して図の右方向に指が移動すると、指向判断部１８によって指の移動方向が判断され、その指の移動方向と一致するように表示部１３の表示内容の方向（人の方向）が変更され、表示部１３が縦長の状態で人を表示するようになる。なお、図６Ｂにおいては、指が移動した方向が画面の下向きとなるように表示内容を変更している。【００５７】  図７は、本発明の第２実施例における表示装置の処理手順を説明するためのフローチャートである。まず、主制御部２４は、テレビ画像などの表示データを表示ドライバ２１へ出力することによって、表示部１３に画面表示を行なう（Ｓ１１）。【００５８】  次に、画像処理部１９が、指紋センサ付キー３２からの画像データを取り込むことにより、指紋センサ付キー３２に指が押下されたか否かを検知する（Ｓ１２）。指が押下されていなければ（Ｓ１２，Ｎｏ）、ステップＳ１２の処理を繰返す。【００５９】  なお、指の押下の検知には上記画像認識による手段に限らず、例えば圧力センサなどの接触センサを用いてもよい。【００６０】  指が押下されていれば（Ｓ１２，Ｙｅｓ）、指向判断部１８は、画像処理部１９から指の位置情報を取得する（Ｓ４１）。そして、一定時間待機した後（Ｓ４２）、指向判断部１８は、再度画像処理部１９から指の位置情報を取得する（Ｓ４３）。【００６１】  指向判断部１８は、ステップＳ４１およびＳ４３において取得された指の位置情報から指の移動方向を判断し、主制御部２４に通知する。主制御部２４は、現在の画面の表示内容の下の方向が指の移動方向と一致しているか否かを判定する（Ｓ４４）。現在の画面の表示内容の下の方向が指の移動方向と一致していれば（Ｓ４４，Ｎｏ）、ステップＳ１２に戻って以降の処理を繰返す。【００６２】  現在の画面の表示内容の下の方向が指の移動方向と一致していなければ（Ｓ４４，Ｙｅｓ）、主制御部２４は、画面の表示内容の向きと指の方向とが一致するように、表示内容の向きを変更して画面の再表示を行なう（Ｓ１５）。【００６３】  以上説明したように、本実施例における表示装置によれば、指紋センサ付キー３２によって検知された指紋から指の位置を取得した後、再度指の位置を取得することによって指の移動方向を判断し、指の移動方向と表示部１３の表示内容の下の方向とが一致するように画面を再表示するようにしたので、第１実施例において説明した効果と同様の効果を奏することが可能となった。【００６４】  （実施例３）
本発明の第３実施例における表示装置のハードウェア構成は、図２に示す第１実施例における表示装置のハードウェア構成と同様である。したがって、重複する構成および機能の詳細な説明は繰返さない。本実施例における表示装置は、表示部１３を備えた筐体１１の開閉角度および回転角度によって表示部１３の表示内容の向きを補正するものである。【００６５】  図８Ａ〜８Ｂは、表示装置の筐体１１の開閉角度および回転角度の検出を説明するための図である。図８Ａに示すように、本実施の形態における表示装置は、筐体１１の表示部１３側に設けられた開閉マグネット４１−１と、筐体１１の表示部１３の反対側に設けられた開閉マグネット４１−２と、開閉マグネット４１−１と対になる開閉センサ４２−１と、開閉マグネット４１−２と対になる開閉センサ４２−２と、回転センサ４３−１および４３−２と、回転マグネット４４−１および４４−２と、Ｙ軸回転センサ４５と、Ｚ軸回転センサ４６とを含む。【００６６】  図１Ａに示すように、表示部１３を内側にして筐体１１が閉じられている場合には、開閉センサ４２−１が開閉マグネット４１−１の磁力を検知することによって、筐体１１の開閉を検知する。また、図８Ｂに示すように、筐体１１がＹ軸を中心に１８０°回転された場合は、開閉センサ４２−２が開閉マグネット４１−２の磁力を検知することによって、筐体１１の開閉を検知する。したがって、いずれの開閉センサが磁力を検知したかによって、表示部１３がどちら向きで筐体１１が閉じられたかを判定することができる。【００６７】  また、回転マグネット４４−１および４４−２は、それぞれＮ極およびＳ極の相対する磁極を有しており、回転センサ４３−１および４３−２のそれぞれが、いずれの磁極を検知したかによって筐体１１がどちら側を向いているかを判定することができる。【００６８】  Ｙ軸回転センサ４５は、Ｙ軸を中心とする筐体１１の回転角度を検知することが可能である。また、Ｚ軸回転センサ４６は、Ｚ軸を中心とする筐体１１の開閉角度を検知することが可能である。なお、Ｙ軸回転センサ４５およびＺ軸回転センサ４６を設ける場合には、開閉マグネット４１−１および４１−２と、開閉センサ４２−１および４２−２と、回転センサ４３−１および４３−２と、回転マグネット４４−１および４４−２とは不要である。【００６９】  なお、開閉センサ４２−１、４２−２、回転センサ４３−１、４３−２、Ｙ軸回転センサ４５、Ｚ軸回転センサ４６は、図２に示す回転検知部２２に相当する。【００７０】  図９Ａ〜９Ｃは、本発明の第３実施例における表示装置の表示内容の向きの補正を説明するための図である。なお、図９Ａ〜９Ｃにおいては、指紋センサ３４が操作部１４のキーとは別個に設けられる場合を示している。図９Ａは、図１Ｂに示す状態から、さらに表示部１３と操作部１４とが水平になるまで開いたところを示している。利用者が指紋センサ３４を押下することによって、表示部１３の表示内容の向きが図９Ａに示す通りとなる。【００７１】  図９Ｂは、表示部１３が設けられた筐体１１をＹ軸を中心に１８０°回転させて、筐体１１を閉じたところを示している。本発明の第１実施例においては、利用者が指紋センサ３４を押下することによって、表示部１３の表示内容の向きが図９Ｂに示す通りとなり、表示内容が逆になる。【００７２】  図９Ｃは、本実施例における表示装置によって、表示部１３の表示内容の向きを補正したところを示している。この補正によって、表示部１３の表示内容が正しい向きとなる。【００７３】  図１０は、本発明の第３実施例における表示装置の処理手順を説明するためのフローチャートである。まず、主制御部２４は、テレビ画像などの表示データを表示ドライバ２１へ出力することによって、表示部１３に画面表示を行なう（Ｓ１１）。【００７４】  次に、画像処理部１９が、指紋センサ３４からの画像データを取り込むことにより、指紋センサ３４に指が押下されたか否かを検知する（Ｓ１２）。指が押下されていなければ（Ｓ１２，Ｎｏ）、ステップＳ１２の処理を繰返す。【００７５】  指が押下されていれば（Ｓ１２，Ｙｅｓ）、主制御部２４は、指向判断部１８から指方向情報を取得したか否かを判定する。主制御部２４が指方向情報を取得しなかった場合（Ｓ１３，Ｎｏ）、すなわち指紋の認証が確認されなかった場合には、ステップＳ１２に戻って以降の処理を繰返す。【００７６】  また、主制御部２４が指方向情報を取得した場合（Ｓ１３，Ｙｅｓ）、すなわち指紋の認証が確認された場合には、表示装置向き検知部２３が回転検知部２２からの信号を取得することによって、操作部１４に対する表示部１３の回転角度を検出する（Ｓ３１）。【００７７】  次に、現在の画面の表示内容の向きが指の方向と一致しているか否かを判定する（Ｓ１４）。このとき、ステップＳ３１において操作部１４に対する表示部１３の回転角度が１８０°近辺であれば、表示部１３の表示内容の向きを１８０°だけ補正して、判定を行なう。【００７８】  現在の画面の表示内容の向きが指の方向と一致していれば（Ｓ１４，Ｎｏ）、ステップＳ１２に戻って以降の処理を繰返す。現在の画面の表示内容の向きが指の方向と一致していなければ（Ｓ１４，Ｙｅｓ）、主制御部２４は、画面の表示内容の向きと指の方向とが一致するように、表示内容の向きを変更して画面の再表示を行なう（Ｓ１５）。【００７９】  なお、本実施例においては、現在の画面の表示内容の向きが指の方向と一致しているか否かを判定するようにしたが、第２実施例において説明したように、指の移動方向と表示部１３の表示内容の下の方向とが一致するか否かを判定して、表示部１３の表示内容の向きを補正するようにしてもよい。【００８０】  以上説明したように、本実施例における表示装置によれば、表示装置向き検知部２３によって表示部１３の回転角度を検知し、その回転角度に応じて表示部１３の表示内容の向きを補正するようにしたので、たとえば、図８Ａ〜８Ｂで示した表示装置等であっても利用者の所望の方向に表示内容を変更することが可能となった。【００８１】  また、上述では特に具体的な説明はしなかったが、複数の指と指紋とを関連付けて、またそれに機器の機能も関連付けることにより、何れかの指で特別の表示に切り替えたり、機能を動作指示することもできる。【００８２】  たとえば、人差し指では細かい角度が制御でき画面上のキャラクタの回転角や画面上の移動量を細かに制御できるが���中指では４方向や８方向の回転や一定間隔でのキャラクタ移動などの表示制御ができる。【００８３】  また、検知手段に触れるたびに表示内容の向きが変わるのが煩わしい場合のために、表示内容の向きを変更する機能のオン／オフを利用者が設定できるようにしてもよい。【００８４】  また、登録してある指紋であれば認証完了後に指を離しても表示状態は保たれるが、登録していない指紋の場合は指が検知手段に触れているときだけ表示の向きが変わるようにすることにより、友達などに画像を一時的に見せるときなどに便利になる。【００８５】  今回開示された実施の形態は、すべての点で例示であって制限的なものではないと考えられるべきである。
【図１Ａ】
2006126310.tif 000002
【図１Ｂ】
2006126310.tif 000003
【図２】
2006126310.tif 000004
【図３Ａ】
2006126310.tif 000005
【図３Ｂ】
2006126310.tif 000006
【図４】
2006126310.tif 000007
【図５】
2006126310.tif 000008
【図６Ａ】
2006126310.tif 000009
【図６Ｂ】
2006126310.tif 000010
【図７】
2006126310.tif 000011
【図８Ａ】
2006126310.tif 000012
【図８Ｂ】
2006126310.tif 000013
【図９Ａ】
2006126310.tif 000014
【図９Ｂ】
2006126310.tif 000015
【図９Ｃ】
2006126310.tif 000016
【図１０】
2006126310.tif 000017
【手続補正書】
【提出日】平成18年9月22日(2006.9.22)
【手続補正１】
【補正対象書類名】特許請求の範囲
【補正対象項目名】請求の範囲
【補正方法】変更
【補正の内容】
【書類名】請求の範囲
【請求項１】  表示手段と、
指の変位を検知するための検知手段と、
前記検知手段によって検知された指の方向または指の移動方向に対応する向きに、前記表示手段の表示内容の向きを変更するための変更手段とを含む表示装置。
【請求項２】（削除）
【請求項３】（削除）
【請求項４】  前記検知手段は、指の形を検知することにより指の方向または指の移動方向を検知する、請求項１記載の表示装置。
【請求項５】  前記検知手段は、指紋を検知することにより指の方向または指の移動方向を検知する、請求項１記載の表示装置。
【請求項６】  前記検知手段は、指紋センサを含む、請求項１記載の表示装置。
【請求項７】  前記表示装置はさらに、前記表示手段の表示内容を操作するための操作手段を含み、
前記検知手段は、前記操作手段上に設けられる、請求項１記載の表示装置。
【請求項８】  前記操作手段は、テレビ画面を表示するための視聴ボタンである、請求項７記載の表示装置。
【請求項９】  前記変更手段は、前記検知手段によって検知された指の方向または指の移動方向と前記表示手段の表示内容の向きとの角度が所定値以上の場合に、前記表示手段の表示内容の向きを変更する、請求項１記載の表示装置。
【請求項１０】  前記変更手段は、前記表示手段と前記検知手段との位置関係に応じて、前記表示手段の表示内容の向きを補正する、請求項１記載の表示装置。
【請求項１１】  前記表示装置はさらに、前記検知手段が設けられる操作部と、
前記操作部に対する前記表示手段の回転角度を検出するための第１の検出手段と、
前記操作部に対する前記表示手段の開閉角度を検出するための第２の検出手段とを含み、
前記変更手段は、前記第１の検出手段によって検出された回転角度と前記第２の検出手段によって検出された開閉角度とに基づいて、前記表示手段の表示内容の向きを補正する、請求項１０記載の表示装置。
【国際調査報告】
2006126310.tif 000018
2006126310.tif 000019